(57)【特許請求の範囲】
【請求項１】
屋根（７）の野地板（８）における傾斜中途部に設けられた開口部（９）に対して縁取り状に取り付ける捨水切枠部材（２）と、該捨水切枠部材（２）より軒側の屋根材（１２）上部に取り付ける換気路本体（３）と、該換気路本体（３）が載る屋根材（１２）上部で換気路本体（３）の少なくとも左右両側と上記捨水切枠部材（２）より棟側とを取り囲みつつ該捨水切枠部材（２）より棟側の屋根材（１２）に下敷きさせる捨水切板部材（４）と、上記換気路本体（３）及び捨水切枠部材（２）の上部へ載設する上部カバー（５）とを有し、該上部カバー（５）と前記捨水切板部材（４）とが一体形成されており、
前記上部カバー（５）は、捨水切板部材（４）の軒側端部から屈曲して軒側に向けて前記野地板（８）から徐々に離間するように傾斜した傾斜部分と、該傾斜部分の軒側端部から屈曲して前記野地板（８）と平行に軒側に延設された平坦部分（５ａ）とを備え、
前記捨水切枠部材（２）は、前記平坦部分（５ａ）よりも棟側に位置すべく前記傾斜部分の下方に配備され、断面Ｌ字型に折り曲げた長尺部材を、互いに背合わせ状態にしつつ連結構造によって所定の枠形体に組み立てて形成され、
前記換気路本体（３）は、前記平坦部分（５ａ）と屋根材（１２）との間に配備され、断面コ字型やＬ字型又はそれらの複合型に折曲した長尺部材を、前記平坦部分（５ａ）と屋根材（１２）との間に収まるように長方形箱型に組み立てて形成され、該換気路本体（３）の内部には、箱形体の短手方向を上下に蛇行しつつ通り抜ける換気気路（１６）が形成されていることを特徴とする屋根面換気ユニット。
【請求項２】
前記上部カバー（５）は、左右方向寸法が屋根材（１２）の左右方向寸法の整数倍に形成されていると共に、流れ方向寸法が屋根材（１２）における働き長さの整数倍に形成されていることを特徴とする請求項１に記載の屋根面換気ユニット。
【発明の詳細な説明】
【０００１】
【発明の属する利用分野】
本発明は、屋根面換気ユニットに関するものである。
【０００２】
【従来の技術】
従来、屋根面換気ユニットとして、特許第２８０２０２１号公報（以下、「先願例」と言う）に記載のものが知られている。この先願例の屋根面換気ユニットは、屋根の野地板における傾斜中途部に設けられた正方形状の開口部に対し、縁取り状に取り付ける木枠と、この木枠のまわりを全周的に取り囲むように野地板上に取り付ける水切と、この水切を取付後の木枠に対してその外周部の全周にわたって換気路を形成させるように取り付ける蓋付きの換気路本体と、この換気路本体の棟側（屋根勾配の上向き側）を覆うように設ける第２水切とを有したものである。
【０００３】
上記水切は、屋根の流れ方向（屋根勾配に沿った方向）に設ける左右一対の流れ水切と、棟側に設ける棟側水切と、軒側（屋根勾配の下向き側）に設ける軒側雨押との４部材で１組となっている。これら流れ水切、軒側水切、軒側雨押は、いずれも金属板をＬ形に折り曲げたものであり、施工時点では個々別々になっている。なお、第２水切も、金属板をＬ形に折り曲げたものである。
また、換気路本体は下枠と上枠とに分割されており、このうち上枠は、野地板の開口部を中心において木枠全体を覆うような蓋形体（外周部に垂下壁がある）をしたもので、下枠は木枠の外周部と上枠の垂下壁との周間に回廊状をした換気通路（スペース）を形成させるための支持材的作用を奏するものである。
【０００４】
この屋根面換気ユニットは、換気路本体における一辺寸法が屋根材（例えばスレート等の平板）の働き長さの４倍強の長さに形成されている。従って、この屋根面換気ユニットを屋根へ施工するに際しては、屋根の流れ方向で少なくとも５枚分の屋根材を切り割りする必要があり、また左右方向でも２枚分の屋根材を切り割りする必要があった（屋根材は千鳥配置となるように葺いているので、最少の場合で、合計８枚もの屋根材を切り割りすることになる）。
なお、上記の屋根面換気ユニットより小型のものとして、図２０に示すものがあった。この小型の屋根面換気ユニットは、ベース１００が周設された捨水切パイプ１０１を野地板１０２へ設けた開口部に取り付けた後、図２１に示すように、この捨水切パイプ１０１上に、下枠１０３と上枠１０４とを有した換気路本体１０５を載設するというものである（上記先願例の明細書中で従来技術として説明してある部類のもの）。
【０００５】
【発明が解決しようとする課題】
上記先願例の屋根面換気ユニットでは、部品点数が多いために、施工が面倒であり、また施工面及び製造面の両面で高コストになるという傾向にあった。
また、施工に関して多くの屋根材に加工（切り割り）を施す必要があったので、現場施工はますます面倒で、且つ熟練を要するという不都合があった。
一方、図２０及び図２１に示した小型の屋根面換気ユニットでは、小型であることから捨水切パイプ１０１としての一体化が可能であるという事情があり、従って部品点数の少数化に繋がっている。しかし、この構造は、先願例のような換気効率の大型のものには採用し難いということがある。
【０００６】
また、施工面に関しては、小型になっているにも拘わらず少なくとも５枚の屋根材１０６に対して加工を必要とする（図２０において加工部分をハッチングで示す）ため、施工性が格段に容易である、というようなものではなかった。
本発明は、上記事情に鑑みてなされたものであって、施工の容易性及び低コスト化を図ることのできる屋根面換気ユニットを提供することを目的とする。
【０００７】
【課題を解決するための手段】
本発明では、上記目的を達成するために、次の技術的手段を講じた。
即ち、本発明に係る屋根面換気ユニットでは、屋根の野地板における傾斜中途部に設けられた開口部に対して縁取り状に取り付ける捨水切枠部材と、この捨水切枠部材より軒側の屋根材上部に取り付ける換気路本体と、この換気路本体が載る屋根材上部で換気路本体の少なくとも左右両側と捨水切枠部材より棟側とを取り囲みつつこの捨水切枠部材より棟側の屋根材に下敷きさせる捨水切板部材と、換気路本体及び捨水切枠部材の上部へ載設する上部カバーとを有したものである。
【０００８】
ここにおいて、捨水切枠部材は、先願例で言えば木枠に相当するが、木製のものに限定されるものではない。また、本発明で言う換気路本体は、上部カバーとの組み合わせにおいて先願例の換気路本体に相当するものであり、結局、この本発明の換気路本体は先願例の下枠に相当し、上部カバーが先願例の上枠に相当していることになる。更に、捨水切板部材は、先願例で言えば水切のうちの左右一対の流れ水切と棟側水切とに相当するものである。
そして、このような構成下にあって、捨水切板部材と上部カバーとを一体形成させることで、部品点数の少数化を図っているものである。
【０００９】
また、上部カバーにおいて、その左右方向寸法を屋根材の左右方向寸法の整数倍（等倍を含む）に形成し、且つ屋根の流れ方向（屋根勾配に沿った方向）寸法を屋根材における働き長さの整数倍（等倍を含む）に形成することで、施工時における屋根材の加工手数を大幅に削減しているものである。
【００１０】
【発明の実施の形態】
以下、図面に基づいて本発明の実施の形態を説明する。
図１及び図２は、本発明に係る屋根面換気ユニット１の第１実施形態を示している。また、図３乃至図６は、この屋根面換気ユニット１の施工手順を示している。
この屋根面換気ユニット１は、捨水切枠部材２と換気路本体３と捨水切板部材４と上部カバー５とを有している。そして、捨水切板部材４と上部カバー５とは一体形成されている。すなわち、この屋根面換気ユニット１は、わずか３部材によって構成されている（接続ビスをはじめとする固定金具類やその他防水材類等は除く）。
【００１１】
なお、本第１実施形態の屋根面換気ユニット１は左右方向に細長い形体を有したものとなっており、上部カバー５（側面形状が台形状をして上方へ膨出する部分）の外形寸法で具体的に言えば、左右方向寸法Ｗを１８２０ｍｍ、最上面の平坦部分５ａにおける屋根７の流れ方向（屋根勾配に沿った方向）寸法Ｄを１８０ｍｍとしている。
従って、この屋根面換気ユニット１を屋根７に施工するに際しては、屋根７の野地板８に対してその傾斜中途部に、予め、流れ方向に沿った口幅を狭くし、且つ左右方向に長細い開口形状にした開口部９（図３参照）を設けるものとする。なお、屋根材１２にはその左右方向寸法が約９１０ｍｍの平板（スレート等）を用いるものとしており、この場合で言えば、開口部９の左右方向寸法は、２枚の屋根材１２を横に並べた範囲に収まるように形成することになる。
【００１２】
捨水切枠部材２は、例えば金属製薄板等から断面Ｌ字型に折り曲げた長尺部材を、互いに背合わせ状態にしつつ差込連結、溶接、ビス止め等の適宜連結構造によって所定の枠形体に組み立てたものである。
この捨水切枠部材２は、野地板８に設けた開口部９に対して、その開口縁部に沿って縁取るように取り付ける。
換気路本体３は、金属製薄板等から断面コ字型やＬ字型又はそれらの複合型に折曲した長尺部材を、Ｌ型ステー等の連結金具１５（図４参照）を用いつつ、差込連結、溶接、ビス止め等の適宜連結構造によって長方形箱型に組み立てて、その内部に、箱形体の短手方向を上下に蛇行しつつ通り抜ける換気気路１６を形成したものである。
【００１３】
この換気路本体３は、捨水切枠部材２より軒側（屋根勾配の下向き側）となる屋根材１２の上部に対して取り付ける。
捨水切板部材４は、金属製薄板等を素材として平面コ字状に形成されたもので、コ字形体の内側において、捨水切枠部材２及び換気路本体３の左右両側と、捨水切枠部材２より棟側（屋根勾配の上向き側）とを取り囲むことができる大きさを有している。
この捨水切板部材４は、換気路本体３の左右両側において、この換気路本体３が載る屋根材１２の上部へ平置き状に取り付けるものであり、また捨水切枠部材２より棟側では、野地板８の上部へ防水シート（図示略）を介して平置き状に取り付けてその上から屋根材１２を被せる（即ち、屋根材１２に下敷きさせる）ようにする。
【００１４】
上部カバー５は、上記捨水切板部材４におけるコ字形体の内縁に沿ってフード型に一体的に膨出して形成されており、換気路本体３及び捨水切枠部材２の上部を被覆しつつ、軒側のみに換気口１８を形成して換気路本体３の上記連通性を確保している。
この換気口１８は、上記のように上部カバー５が左右方向寸法Ｗを長く形成されていることに伴い、高さＨを約６５ｍｍと低く抑えることができるものとなっている。このようにしても有効換気面積は、先願例と同じ４５０ｃｍ２  を確保できる。従って、屋根７の領域中でこの屋根面換気ユニット１が目立ちにくくなっており、屋根７の全体乃至建物全体としての見栄えの悪化を招来しないようにしている。
【００１５】
この上部カバー５において、その左右方向寸法Ｗは上記したように１８２０ｍｍに形成されており、これは屋根材１２の左右方向寸法（約９１０ｍｍ）の整数倍（２倍）に略相当している。また、上部カバー５における全体の流れ方向寸法Ｄは、屋根材１２における働き長さＭ（図６参照）の整数倍（２倍）に略相当して形成されている。
そのため、屋根材１２を葺く場合に、加工（切り割り）を要する屋根材１２の枚数が抑えられる（合計５枚だけとなっている）ことになり、また加工を施すにしてもその加工が簡潔形状（Ｌ型切り又はストレート切り）で済むようにして、容易化が図られることになる。また、施工後においても、周辺の屋根材１２との間で見栄え上の収まりがよくなる。
【００１６】
なお、この上部カバー５と捨水切板部材４とは、当初、別々に形成しておき、その後、互いに差込連結、溶接、ビス止め等の適宜連結構造によって一体結合させたものであってもよく、要は、屋根７に対する施工時においてこれら両者を一体のものとして扱うことができればよいものである。
この屋根面換気ユニット１を屋根７に施工するには、図３に示すように屋根７の野地板８に対して所定箇所へ開口部９を設け、これに合わせて野地板８上に敷く防水シート（図示略）等も切り欠いておく。また、この開口部９の軒側となる２枚の屋根材１２に、開口部９との干渉を避けるだけの切欠２０を形成させる。
【００１７】
そして、まず、図４に示すように、この開口部９に対してその開口周部に捨水切枠部材２を被せ置き、これを防水テープ、シーリング剤、適宜接着剤、釘又はネジ等により野地板８へ固定する。
また、この捨水切枠部材２より軒側の屋根材１２（切欠２０を設けたもの）の上部に換気路本体３を載せる。そして、この換気路本体３において捨水切枠部材２に対して長手方向を平行させると共に、相互間隔を所定に調節し、そのうえで固定ネジ２１によって屋根材１２へ固定する。
【００１８】
次に、捨水切板部材４及び上部カバー５の一体化されたものを、図５に示すように上記の捨水切枠部材２及び換気路本体３に被せるようにする。そして、上部カバー５における最上面の平坦部分５ａから換気路本体３へ向けて接続ビス２２をねじ込み、これらを固定する。また、捨水切板部材４の外周部（主に棟側）を、野地板８に対して釘打ちする吊り子留め２３（押え金具）により、浮き上がらないように固定する。
次に、図６に示すように、捨水切板部材４における左右両側の流れ方向の約上半部領域からその上方へ向けて、順次、屋根材１２を重ねるように葺いてゆく。このとき、捨水切板部材４の左右両側へ位置付ける屋根材１２については、上部カバー５と干渉する長さ分だけ加工（Ｌ型切り又はストレート切り）を施す。
【００１９】
このようにして屋根材１２を葺きあげれば、屋根面換気ユニット１の組み立てと屋根７への取付施工は完了する。結果として、この屋根面換気ユニット１を施工するに際して加工を要した屋根材１２の枚数は、全部で５枚だけで済むというものである。
図７は、本発明に係る屋根面換気ユニット１の第２実施形態を示している。
この第２実施形態は、上部カバー５における全体の流れ方向寸法Ｄを第１実施形態のそれよりも大きく形成させたものである。なお、換気路本体３はこれに合わせて拡大させてもよいし、また拡大させなくてもよい。
【００２０】
このような流れ方向寸法Ｄの大型化は、施工時における屋根材１２の加工手数を少なく抑えるという理由から、屋根材１２における働き長さＭ（図６参照）の整数倍に略相当させる必要があり、本第２実施形態では３倍を目安にしている。
なお、寸法的に可能であれば、上部カバー５における全体の流れ方向寸法Ｄを屋根材１２の１枚分の働き長さＭに略相当させる（即ち、等倍にする）ようにしてもよい。
図８は、本発明に係る屋根面換気ユニット１の第３実施形態を示している。
【００２１】
この第３実施形態では、上部カバー５の形状を、その側面形状が長方形状となるようにしたものであり、この点だけが第１実施形態と異なっている。このように、上部カバー５の形状は、任意に変更可能である。
図９は、本発明に係る屋根面換気ユニット１の第４実施形態を示している。
この第４実施形態では、上部カバー５の左右方向寸法Ｗを第１実施形態のそれより短く形成させたものである。勿論、これに合わせて換気路本体３も同様に小型化してある。
【００２２】
このような左右方向寸法Ｗの小型化は、施工時における屋根材１２の加工手数を少なく抑えるという理由から、屋根材１２の左右方向寸法の整数倍に略相当させておく必要があり、本実施形態では等倍、即ち、屋根材１２の左右方向寸法と略同じにしてある。
勿論、屋根材１２が比較的小型のものである場合には上記左右方向寸法Ｗを拡大化することが可能であり、このときも、屋根材１２の左右方向寸法の整数倍に略相当させる必要がある。
【００２３】
図１０は、本発明に係る屋根面換気ユニット１の第５実施形態を示しており、この第５実施形態も、上部カバー５の左右方向寸法Ｗを第１実施形態のそれより短く形成させたものである。そしてそのうえで、上部カバー５の形状を、その側面形状が三角形状となるようにすると共に、換気口１８寄りの高さＨを拡大させてある。勿論、換気路本体３もこの上部カバー５の形状に沿って適宜変更してある。
なお、このように上部カバー５の高さＨを高くすることによっても、それが直ちに屋根７における全体としての見栄えを悪化させることに繋がるものではなく、むしろ上部カバー５を目立たせることにより、屋根７や建物全体の審美性等との釣り合いの中でこの上部カバー５を一つのアクセントにして好結果に結びつけるということもできる。
【００２４】
図１１及び図１２は、本発明に係る屋根面換気ユニット１の第６実施形態を示している。
この第６実施形態では、上記第５実施形態と同様に、上部カバー５の高さＨを高くしたものである。ただ、第５実施形態との違いは、上部カバー５の形状を、その側面形状が台形状に形成することによって、最上面の平坦部分５ａを全体的に高背化させている点にある（即ち、図９に示した第４実施形態をそのまま高背化させたものである）。
【００２５】
なお、本第６実施形態では、上部カバー５の高背化に伴い、その換気口１８の開口面積も大きくなり、そのためにこの換気口１８を通じて換気路本体３内へ雨水等が吹き込む可能性が高くなるので、換気路本体３の最も軒側となる部分に、雨水等を排水するための排水孔２６を設けてある。
なお、前記した第１〜第５実施形態において、換気口１８の大小に関係なく、上記排水孔２６を設けることにしてもよい。
図１３及び図１４は、本発明に係る屋根面換気ユニット１の第７実施形態を示している。
【００２６】
この第７実施形態では、上部カバー５において、その最上面の平坦部分５ａに換気口１８が設けられており、この平坦部分５ａの軒側端には垂下板２８が設けられて、換気路本体３が屋根７の流れ方向下側からは見えないようになったものである。
換気口１８は、左右方向に長い長孔２９を屋根７の流れ方向に複数本並べてこれで一群を形成させ、この群を左右方向の複数箇所に設けることで、その全体の開口面積を合計したものとして形成される。各長孔２９は、平坦部分５ａに対してプレスによる切起こし加工を施して、これによって生じた切起こし舌片をカバー内方へ斜めに折り曲げるようにして形成してある。
【００２７】
この第７実施形態でも、換気口１８を通じて換気路本体３内へ雨水等が浸入すする可能性が高くなるので、換気路本体３の最も軒側となる部分に、雨水等を排水するための排水孔２６を設けてある。
また、この第７実施形態では、換気路本体３を断面Ｌ型としただけの極めて簡素な形体にしてある。
図１５及び図１６は、本発明に係る屋根面換気ユニット１の第８実施形態を示している。
【００２８】
この第８実施形態は上記第７実施形態と殆ど同じであるが、換気口１８において長孔２９の群形成数を左右方向で増やしている点、及び各長孔２９で切起こし舌片をアール形状に折り曲げている点だけが、第７実施形態と異なっている。
図１７、図１８、図１９は、それぞれ本発明に係る屋根面換気ユニット１の第９実施形態、第１０実施形態、第１１実施形態を示している。
これらの実施形態は、第７実施形態（図１３及び図１４）や第８実施形態（図１５及び図１６）について、上部カバー５の左右方向寸法Ｗや全体の流れ方向寸法Ｄを変更させたり、換気口１８における長孔２９の個数を増減させたりした例である。
【００２９】
なお、第１１実施形態（図１９）では、上部カバー５において垂下板２８を設けず、この部分にも換気口１８を形成させている。
以上説明したように、本発明では種々様々な実施形態へと敷衍可能なものである。
【００３０】
【発明の効果】
以上の説明から明らかなように、本発明に係る屋根面換気ユニットは、捨水切枠部材と換気路本体と捨水切板部材と上部カバーとを有したものとして、捨水切板部材と上部カバーとを一体形成して部品点数の少数化を図っているので、施工の容易性及び低コスト化を図ることができる。
また、捨水切枠部材と換気路本体と捨水切板部材と上部カバーとを有したものとして、上部カバーの左右方向寸法及び流れ方向寸法を、屋根材を基準にそれぞれ整数倍に形成することで屋根材の加工手数を大幅に削減しているので、施工の容易性及び低コスト化を図ることができる。
【図面の簡単な説明】
【図１】本発明に係る屋根面換気ユニットの第１実施形態を中間省略して示す斜視図である。
【図２】第１実施形態の側断面図である。
【図３】第１実施形態を施工する手順の最初の段階を示す斜視図である。
【図４】図３に続く施工手順を示す斜視図である。
【図５】図４に続く施工手順を示す斜視図である。
【図６】第１実施形態の施工後の状態を示す斜視図である。
【図７】本発明に係る屋根面換気ユニットの第２実施形態を中間省略して示す斜視図である。
【図８】本発明に係る屋根面換気ユニットの第３実施形態を中間省略して示す斜視図である。
【図９】本発明に係る屋根面換気ユニットの第４実施形態を示す斜視図である。
【図１０】本発明に係る屋根面換気ユニットの第５実施形態を示す斜視図である。
【図１１】本発明に係る屋根面換気ユニットの第６実施形態を示す斜視図である。
【図１２】第６実施形態の側断面図である。
【図１３】本発明に係る屋根面換気ユニットの第７実施形態を中間省略して示す斜視図である。
【図１４】第７実施形態の側断面図である。
【図１５】本発明に係る屋根面換気ユニットの第８実施形態を中間省略して示す斜視図である。
【図１６】第８実施形態の側断面図である。
【図１７】本発明に係る屋根面換気ユニットの第９実施形態を示す斜視図である。
【図１８】本発明に係る屋根面換気ユニットの第１０実施形態を示す斜視図である。
【図１９】本発明に係る屋根面換気ユニットの第１１実施形態を示す斜視図である。
【図２０】従来における小型の屋根面換気ユニットについてその施工状況を示した斜視図である。
【図２１】図２０の屋根面換気ユニットの側断面図である。
【符号の説明】
１    屋根面換気ユニット
２    捨水切枠部材
３    換気路本体
４    捨水切板部材
５    上部カバー
７    屋根
８    野地板
９    開口部
１２    屋根材
１８    換気口
【図１】
0003616520.tif 000002
【図２】
0003616520.tif 000003
【図３】
0003616520.tif 000004
【図４】
0003616520.tif 000005
【図５】
0003616520.tif 000006
【図６】
0003616520.tif 000007
【図７】
0003616520.tif 000008
【図８】
0003616520.tif 000009
【図９】
0003616520.tif 000010
【図１０】
0003616520.tif 000011
【図１１】
0003616520.tif 000012
【図１２】
0003616520.tif 000013
【図１３】
0003616520.tif 000014
【図１４】
0003616520.tif 000015
【図１５】
0003616520.tif 000016
【図１６】
0003616520.tif 000017
【図１７】
0003616520.tif 000018
【図１８】
0003616520.tif 000019
【図１９】
0003616520.tif 000020
【図２０】
0003616520.tif 000021
【図２１】
0003616520.tif 000022